【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
第１指針の示す位置で時刻を表示する時刻表示部と、
衛星信号を受信する平面アンテナと、
前記平面アンテナに接続された受信部と、
所定の条件が満たされると、前記受信部を作動させる制御部と、を含み、
前記平面アンテナは、誘電体の基材と、前記基材に設置されたアンテナ電極と、を含み、
前記アンテナ電極の中心は、前記時刻表示部の６時から１１時の範囲内に配置されていることを特徴とする電子時計。
【請求項２】
内部時刻を計時する計時部をさらに含み、
前記所定の条件は、前記内部時刻が所定時刻になったという条件であることを特徴とする請求項１に記載の電子時計。
【請求項３】
前記電子時計が屋外にあるか否かを検出する屋外検出部をさらに含み、
前記所定の条件は、前記電子時計が屋外にあることを前記屋外検出部が検出したという条件であることを特徴とする請求項１に記載の電子時計。
【請求項４】
前記第１指針を駆動する第１モーターと、
第２指針で所定情報を表示する情報表示部と、
前記第２指針を駆動する第２モーターと、をさらに含み、
前記平面アンテナは、前記時刻表示部の表示面側からみた平面視において、前記第１モーターおよび前記第２モーターのいずれとも重なっていないことを特徴とする請求項１から３のいずれか１項に記載の電子時計。
【請求項５】
情報をデジタル表示するデジタル表示部をさらに含み、
前記平面アンテナは、前記時刻表示部の表示面側からみた平面視において、前記デジタル表示部と重なっていないことを特徴とする請求項１から４のいずれか１項に記載の電子時計。
【請求項６】
光発電用のソーラーパネルをさらに含み、
前記ソーラーパネルは、前記時刻表示部の表示面側からみた平面視において、前記平面アンテナと重なる部分が切り欠かれていることを特徴とする請求項１から５のいずれか１項に記載の電子時計。
【請求項７】
前記平面アンテナは、パッチアンテナであることを特徴とする請求項１から６のいずれか１項に記載の電子時計。
【請求項８】
前記パッチアンテナが搭載される回路基板をさらに含み、
前記回路基板は、前記電子時計に搭載される電池の形状に応じた切欠きを有し、
前記パッチアンテナは、円偏波パッチアンテナであり、
前記アンテナ電極は、放射電極であり、
前記円偏波パッチアンテナは、前記放射電極と電磁結合する給電電極と、前記回路基板と電気的に接続するグランド電極と、をさらに含み、
前記給電電極は、前記基材が有する複数の辺のうち前記回路基板の中心に最も近い辺に接していることを特徴とする請求項７に記載の電子時計。
【請求項９】
前記アンテナ電極の全ては、前記時刻表示部の６時から１１時の範囲内に配置されていることを特徴とする請求項１から８のいずれか１項に記載の電子時計。
【請求項１０】
衛星信号を受信する円偏波パッチアンテナと、
前記円偏波パッチアンテナに接続された受信部と、
前記受信部に電力を供給する電池と、
前記円偏波パッチアンテナが搭載され、前記電池の形状に応じた切欠きを有する回路基板と、を備え、
前記電池は、前記切欠きに配置され、
前記円偏波パッチアンテナは、誘電体の基材と、前記基材に設置された放射電極と、前記放射電極と電磁結合する給電電極と、前記回路基板と電気的に接続するグランド電極と、を含み、
前記給電電極は、前記基材が有する複数の辺のうち前記回路基板の中心に最も近い辺に接している
ことを特徴とする電子時計。
【請求項１１】
近距離無線用のアンテナおよび前記近距離無線用のデバイスをさらに含む、
ことを特徴とする請求項１から１０のいずれか１項に記載の電子時計。
【請求項１２】
前記近距離無線用のデバイスは、時差情報、ＧＰＳアシスト情報、閏秒情報の更新データの少なくともいずれか一つを受信することを特徴とする請求項１１に記載の電子時計。
【手続補正２】
【補正対象書類名】明細書
【補正対象項目名】０１０１
【補正方法】変更
【補正の内容】
【０１０１】
続いて、ベースバンド部１８０は、衛星情報に含まれるＧＰＳ時刻情報（Ｚカウントデータ）を取得できたか否かを判断する（ステップＳ１０９）。
ベースバンド部１８０は、ＧＰＳ時刻情報を取得できないと（ステップＳ１０９：ＮＯ）、所定のタイムアウト時間（例えば、６０秒）を経過したか否かを判断する（ステップＳ１１０）。
ベースバンド部１８０は、ステップＳ１１０でタイムアウトになった場合（ステップＳ１１０：ＹＥＳ）、ＧＰＳ受信部１２２での受信を終了する（ステップＳ１０７）。その後、図１７に示した処理が再度実行される。
【手続補正３】
【補正対象書類名】明細書
【補正対象項目名】０１０４
【補正方法】変更
【補正の内容】
【０１０４】
ステップＳ１１１でＧＰＳ時刻情報に整合性が無いと判断した場合（ステップＳ１１１：ＮＯ）、ベースバンド部１８０は、ステップＳ１１０を実行する。
一方、ステップＳ１１１でＧＰＳ時刻情報に整合性があると判断した場合（ステップＳ１１１：ＹＥＳ）、ベースバンド部１８０は、受信を終了する（ステップＳ１１２）。
ベースバンド部１８０は、ステップＳ１１２を完了すると、取得したＧＰＳ時刻情報（Ｚカウントデータ）を制御部１５０に出力する。制御部１５０は、ベースバンド部１８０から受け取ったＧＰＳ時刻情報（Ｚカウントデータ）を用いて、ＲＴＣ１５２が計時している内部時刻情報を修正する（ステップＳ１１３）。
制御部１５０は、内部時刻情報を修正すると、修正後の内部時刻情報に基づいて、駆動回路１５４を介して指針２２、２３および２４の表示を修正する。その後、再び、図１７に示した処理が実行される。
【手続補正４】
【補正対象書類名】明細書
【補正対象項目名】０１０８
【補正方法】変更
【補正の内容】
【０１０８】
ベースバンド部１８０は、ステップＳ１０５で所定数以上のＧＰＳ衛星８を捕捉できた場合（ステップＳ１０５：ＹＥＳ）、捕捉したＧＰＳ衛星８の各々から軌道情報を取得できたか否かを判断する（ステップＳ２０３）。より具体的には、ベースバンド部１８０は、軌道情報とＧＰＳ時刻情報とを取得できたか否かを判断する。なお、以下では、説明の簡略化のため、この判断を、軌道情報を取得できたか否かの判断として説明する。
【手続補正５】
【補正対象書類名】明細書
【補正対象項目名】０１３２
【補正方法】変更
【補正の内容】
【０１３２】
図２１に示した例では、モーター２２１〜２２６という６個のモーターが使用されるため、１２本のモーター配線が必要となる。このため、モーター２２１〜２２６が回路基板１００１に配置され、かつ、制御部１５０が回路基板１００２に配置された場合、回路基板１００１と回路基板１００２とをつなぐコネクター１００４に、１２本のモーター配線が通されることになり、コネクター１００４が大型化してしまう。このようなコネクター１００４の大型化の問題は、モーターの数が６である場合にのみ生じるものではなく、モーターと制御部１５０が別々の回路基板に配置された際に生じる問題である。
複数の回路基板が使用される場合、変形例５に示したように、モーター（コイル）が配置される回路基板に制御部１５０が配置されると、コネクターの大型化を抑制可能となり、かつ、モーター配線を短くでき、モーター性能を確保しやすくなる。
【手続補正６】
【補正対象書類名】図面
【補正対象項目名】図４
【補正方法】変更
【補正の内容】
【図４】
2018081072.tif 000001